(57)【特許請求の範囲】
【請求項１】
簀の子本体の踏み面をペットが踏んで通過する際にペットの足に付着した付着物を落とす簀の子において、
前記踏み面を、幅方向中央部が上方へ突出した曲面状に設定して非平面状に形成するとともに、当該踏み面に上方へ突出するリブを複数設けたことを特徴とする簀の子。
【請求項２】
前記簀の子本体におけるペット通過方向の寸法を４００ｍｍ以上に設定したことを特徴とする請求項１記載の簀の子。
【請求項３】
前記簀の子本体は、当該簀の子本体の長さ方向に延在する縦格子と、該縦格子の交差方向に延在する横格子とを備え、
前記縦格子に、前記踏み面側に突出するリブを形成したことを特徴とする請求項１又は２記載の簀の子。
【請求項４】
前記簀の子本体は、前記縦格子と前記横格子とで包囲された開口部を備え、
該開口部の一辺の長さを２０ｍｍ以下に設定したことを特徴とする請求項３記載の簀の子。
【発明の詳細な説明】
【技術分野】
【０００１】
本発明は、ペットの足に付いた砂などの付着物を落とす為の簀の子に関する。
【背景技術】
【０００２】
従来、室内で飼育するペットの排泄物を処理する際には、ペット用トイレが使用されていた（例えば、特許文献１参照。）。
【０００３】
このペット用トイレは、便床トレイと、該便床トレイの上部を覆うフードからなり、該フードの前面には、当該ペット用トイレ内への出入口が設けられている。また、前記便床トレイの奥側には、砂収容部が形成されており、該砂収容部には、ペット用砂が収容されている。
【０００４】
これにより、前記出入口から前記便床トレイ内に入ったペットが、前記砂収容部に収容されたペット用砂の上で排泄物を排出できるように構成されており、この排泄物を前記ペット用砂で固めて廃棄できるように構成されている。
【０００５】
前記出入口と前記砂収容部との間には、長方形状の簀の子が横設されており、該簀の子には、多数の開口部が設けられている。
【０００６】
これによって、この簀の子上をペットが通過する際に、当該ペットの足に付着した前記ペット用砂を前記開口部から落下させ、該ペット用砂の外部への散乱を防止できるように構成されている。
【特許文献１】特開２００４−１２９５５６号公報
【発明の開示】
【発明が解決しようとする課題】
【０００７】
しかしながら、このような簀の子にあっては、踏み面が平坦面で構成されており、足に付着したペット用砂を積極的に落とす機能を有していない。
【０００８】
このため、足裏の肉球の間に挟まったペット用砂が残存する場合があった。
【０００９】
本発明は、このような従来の課題に鑑みてなされたものであり、足に付着した付着物を落とすことができる簀の子を提供することを目的とするものである。
【課題を解決するための手段】
【００１０】
前記課題を解決するために本発明の請求項１の簀の子にあっては、簀の子本体の踏み面をペットが踏んで通過する際にペットの足に付着した付着物を落とす簀の子において、前記踏み面を、幅方向中央部が上方へ突出した曲面状に設定して非平面状に形成するとともに、当該踏み面に上方へ突出するリブを複数設けた。
【００１１】
すなわち、ペットが踏んで通過する踏み面は、非平面状に形成されており、歩き難い形状に形成されている。このため、この踏み面上を歩くペットは、足に力が加わり、踏ん張って歩くこととなる。
【００１２】
これにより、足裏面が変形することによって肉球間の隙間が開き、肉球間に挟まった砂などの付着物が落下する。
【００１３】
また、請求項２の簀の子においては、前記簀の子本体におけるペット通過方向の寸法を４００ｍｍ以上に設定した。
【００１４】
すなわち、前記簀の子本体は、ペットが通過する方向の寸法が４００ｍｍ以上に設定されている。このため、平均的な大人の猫が前記簀の子本体上を通過する場合であっても、総ての足が前記踏み面を踏むこととなる。
【００１５】
さらに、請求項３の簀の子では、前記簀の子本体は、当該簀の子本体の長さ方向に延在する縦格子と、該縦格子の交差方向に延在する横格子とを備え、前記縦格子に、前記踏み面側に突出するリブを形成した。
【００１６】
すなわち、前記簀の子本体は、縦格子と横格子とを備え、前記縦格子に、前記踏み面側に突出するリブが形成されている。
【００１７】
このため、このリブがペットの足裏に食い込むことによって肉球間の隙間を開くことができる。
【００１８】
加えて、請求項４の簀の子にあっては、前記簀の子本体は、前記縦格子と前記横格子とで包囲された開口部を備え、該開口部の一辺の長さを２０ｍｍ以下に設定した。
【００１９】
すなわち、前記縦格子と前記横格子とで包囲された開口部は、その一辺の長さが２０ｍｍ以下に設定されている。
【００２０】
このため、前記簀の子本体上を歩くペットが子猫であっても、その足の開口部への嵌り込みが防止される。
【発明の効果】
【００２１】
以上説明したように、本発明の請求項１の簀の子にあっては、簀の子本体の踏み面上を踏ん張って歩かせることによって足裏面を変形させ、肉球間の隙間を開かせることができる。
【００２２】
これにより、肉球間に挟まった砂などの付着物を積極的に落下させることができる。
【００２３】
したがって、踏み面が平坦面で構成され、足に付着したペット用砂等の付着物を積極的に落とすことができなかった従来と比較して、足裏の肉球の間の付着物の残存量を少なくすることができ、付着物の散乱を防止することができる。
【００２４】
また、請求項２の簀の子においては、前記簀の子本体におけるペット通過方向の寸法を４００ｍｍ以上に設定したため、平均的な大人の猫が前記簀の子本体上を通過する場合であっても、総ての足を前記踏み面に確実に着地させることができる。
【００２５】
これにより、寸法が短く前記踏み面を踏まない足が残り得る場合のように、踏み面を踏まない足に残存した付着物が散乱してしまうとった不具合を解消することができる。
【００２６】
さらに、請求項３の簀の子では、前記簀の子本体は縦格子と横格子とを備え、前記縦格子に前記踏み面側に突出するリブが形成されている。
【００２７】
このため、このリブがペットの足裏に食い込むことによって、足裏の肉球間の隙間を広げることができる。
【００２８】
これによっても、肉球間に挟まった付着物を落下させることができ、足裏の肉球の間の付着物の残存量をより少なくすることができる。
【００２９】
加えて、請求項４の簀の子にあっては、前記縦格子と前記横格子とで包囲された開口部は、その一辺の長さが２０ｍｍ以下に設定されている。
【００３０】
このため、前記簀の子本体上を歩くペットが子猫であっても、その足の開口部への嵌り込みを防止することができる。
【発明を実施するための最良の形態】
【００３１】
（第一の実施の形態）
【００３２】
以下、本発明の第一の実施の形態を図に従って説明する。
【００３３】
図１は、本実施の形態にかかるペット用トイレ１を示す図であり、該ペット用トイレ１は、本願発明の簀の子２を備えている。このペット用トイレ１は、室内で飼育されるペット、特に猫の排泄物を処理する際に使用される。
【００３４】
このペット用トイレ１は、合成樹脂で形成されており、底部を形成する便床トレイ１１と、該便床トレイ１１の上部を覆う上方膨出形状のフード１２とによって構成されている。前記便床トレイ１１及び前記フード１２は、共に矩形容器状に形成されている。
【００３５】
このフード１２は、奥側を構成するフード本体２１と、手前側を構成する前蓋部２２とによって構成されており、前記フード本体２１及び前記前蓋部２２は、半透明の合成樹脂で形成されている。
【００３６】
ここで、本実施の形態では、前記フード本体２１及び前記前蓋部２２を半透明の樹脂で形成する場合に付いて説明するが、透明な樹脂で形成しても良い。
【００３７】
前記前蓋部２２は、その上縁に設定された支持部３１，３１を介して前記フード本体２１の天面３２に回動自在に支持されており、この支持部３１，３１を中心に回動できるように構成されている。これにより、図中矢示したように、前記前蓋部２２のみを上方へ回動し、ペット用トイレ１前部を開口できるように構成されている。
【００３８】
前記前蓋部２２の前面下部には、ロック手段としての前部バックル４１が設けられており、当該前蓋部２２を閉鎖した状態で前記前部バックル４１を前記便床トレイ１１の上縁に係脱可能に係合したロック状態を形成できるように構成されている。これにより、このロック状態において、前記前蓋部２２の不用意な開放を防止できるように構成されている。
【００３９】
前記フード本体２１の両側面下部にも、側部バックル５１が設けられており、これらの側部バックル５１を前記便床トレイ１１の上縁に係脱可能に係合したロック状態を形成できるように構成されている。
【００４０】
前記前蓋部２２の前面６１には、ペットが出入りする為の出入口６２が開設されており、該出入口６２は、正面左寄りに設定されている。
【００４１】
前記便床トレイ１１は、図２に示すように、上方へ向けて開口した容器状に形成されており、図中右側には、砂収容部７１が形成されている。該砂収容部７１には、水分を吸収して固化する粒状体としてのペット用砂７２，・・・が収容されており、このペット用砂７２，・・・によってペットの排泄物を固めて固形化できるように構成されている。
【００４２】
前記砂収容部７１の図中左側には、通路部８１が形成されており、該通路部８１の前端は、前記前蓋部２２に設けられた出入口６２に連通するように構成されている。この通路部８１と前記砂収容部７１との間には、仕切板８２が設けられており、該仕切板８２は、着色された非透明の樹脂で形成され、前記砂収容部７１から前記通路部８１側が見えないように構成されている。
【００４３】
なお、この仕切板８２は、非透明であったり、非半透明であっても良く、前記砂収容部７１から前記通路部８１側の視界を遮るものであれば良い。
【００４４】
この仕切板８２の長さ寸法は、図３にも示すように、前記便床トレイ１１の長さより短く設定されており、その前端が前記便床トレイ１１の前壁面９１に密着するように設けられている。これにより、前記仕切板８２の後縁と前記便床トレイ１１の後壁面９２との間には、前記通路部８１と前記砂収容部７１との行き来する為の連通口９３が設けられている。
【００４５】
前記便床トレイ１１の前記通路部８１には、図２に示したように、その中央部に上方へ膨出形成された段差部１０１が形成されており、該段差部１０１の両端には、前記砂収容部７１の底面に連続した凹部空間が形成され、前記砂収容部７１に連通した砂回収部１０２，１０２が設けられている。
【００４６】
前記段差部１０１上には、図３に示したように、前記簀の子２が設けられており、該簀の子２によって前記砂収容部７１から前記出入口６２へ向かうペットを迂回させる迂回通路１１１が、前記砂収容部７１より一段高い位置に設けられている。これにより、前記砂収容部７１と前記出入口６２との間には、ペットを迂回させる前記迂回通路１１１が設けられている。
【００４７】
そして、前記砂収容部７１から前記迂回通路１１１への進入方向１１５と該迂回通路１１１を移動するペットの移動方向１１６とは、交差方向に設定されている。
【００４８】
前記前蓋部２２に設けられた前記出入口６２の幅寸法１２１は、１２０ｍｍに設定されており、平均よりやや大きめで体重が７ｋｇの猫が出入りできる寸法に設定されている。また、前記連通口９３での幅寸法１２２は、１７０ｍｍに設定されており、平均よりやや大きめで体重が７ｋｇの猫が曲がれる寸法に設定されている。さらに、前記砂収容部７１の幅寸法１２３は、２７０ｍｍに設定されており、平均よりやや大きめで体重が７ｋｇの猫が当該砂収容部７１で回転しＵターンできる寸法に設定されている。
【００４９】
前記簀の子２の簀の子本体３０１は、図４及び図５に示すように、長方形状に形成されており、その上面は、通過時にペットが足で踏む踏み面３０２を構成している。これにより、この踏み面３０２をペットが踏んで通過する際に、当該ペットの足に付着したペット用砂７２，・・・等の付着物を落とせるように構成されている。
【００５０】
この簀の子本体３０１は（図３参照）、前記通路部８１にセットされた状態で、ペットが通過するペット通過方向３１１に延設されるように構成されており、その長さ方向がペット通過方向３１１に設定されている。
【００５１】
この簀の子本体３０１は、前記ペット通過方向３１１の長さ寸法３２１が４００ｍｍ以上、具体的には、４４０ｍｍに設定されており、図６に示すように、平均的な大人の猫３１２が当該簀の子本体３０１上を通過する場合であっても、総ての足３２２，・・・が前記踏み面３０２に着地するように構成されている。
【００５２】
すなわち、前記砂収容部７１にて排泄したペットがペット用トイレ１から出る際には、図３に示したように、前記連通口９３を通って一段高い前記簀の子２上に上ると同時に左側へ回る。これにより、走り出そうとするペットの加速を抑える減速手段が構成されており、前記簀の子２上をゆっくり歩かせることができる。
【００５３】
また、前記簀の子２が出入口６２近傍に横設された従来と比較して、当該簀の子２上を、より長い時間を掛けて歩かせるとともに、その歩数の増大を図ることができる。
【００５４】
これにより、簀の子２への接地機会をより多くし、付着したペット用砂７２，・・・の落下をさらに促進できる。
【００５５】
前記簀の子本体３０１は、図４に示したよう、合成樹脂で形成されており、金属や木材で形成することもできる。この簀の子本体３０１は、長方形状の枠部４０１と、該枠部４０１内に配置され当該簀の子本体３０１の長さ方向に延在する複数の縦格子４０２，・・・と、前記枠部４０１内に配置され各縦格子４０２，・・・の交差方向に延在する複数の横格子４０３，・・・とで構成されており、前記枠部４０１と前記縦格子４０２，・・・と前記横格子４０３，・・・とは一体形成されている。
【００５６】
これにより、前記簀の子本体３０１には、前記縦格子４０２，・・・と前記横格子４０３，・・・とで包囲された正方形状の開口部４１１，・・・が設けられており、各開口部４１１，・・・は、上下に貫通している。各開口部４１１，・・・の一辺の長さ４１２，４１２は、２０ｍｍに設定されており、２０ｍｍ以下に設定することによって、当該簀の子本体３０１上を子猫が歩いた場合であっても、その足が前記開口部４１１，・・・に落ちないように構成されている。
【００５７】
ここで、本実施の形態では、前記各縦格子４０２，・・・と前記横格子４０３，・・・とが直交する場合に付いて説明するが、これに限定されるものではなく、斜めに交差させても良い。
【００５８】
前記枠部４０１の両短辺４２１，４２１及び前記各横格子４０３，・・・は、前記踏み面３０２を構成する上縁が上方へ突出した円弧状に形成されており、前記踏み面３０２は、全体的に中央が突出した円柱面状に形成されている。これにより、前記踏み面３０２は、非平面状に形成されている。
【００５９】
なお、本実施の形態では、前記踏み面３０２を曲面で構成した場合に付いて説明するが、三角形状や多角形状であっても良い。
【００６０】
また、簀の子本体３０１自体を円柱状に形成して良い。
【００６１】
さらには、前記枠部４０１内にネットを架橋したり、金網を設けても良い。
【００６２】
そして、前記踏み面３０２を構成する前記縦格子４０２，・・・の上縁には、前記踏み面３０２側である上方へ突出するリブ４３１，・・・が間隔をおいて形成されており、当該踏み面３０２を歩くペットの足裏に、前記各リブ４３１，・・・が食い込むことによって足裏の肉球間の隙間を広げられるように構成されている。
【００６３】
以上の構成にかかる本実施の形態において、ペットである猫３１２が踏んで通過する簀の子２の踏み面３０２は、非平面状、具体的には、図７に示すように、中央部が上方へ突出した曲面状に形成されており、歩き難い形状に形成されている。
【００６４】
このため、この踏み面３０２上を歩く猫３１２は、足３２２，３２２に力が加わり、踏ん張って歩くこととなる。これにより、足裏４５１，４５１面が変形することによって肉球間の隙間を開き、肉球間に挟まったペット用砂７２，・・・等などの付着物を積極的に落下させることができる。
【００６５】
したがって、踏み面３０２が平坦面で構成された従来と比較して、足裏の肉球の間の付着物の残存量を少なくすることができ、ペット用トイレ１外部への付着物の散乱を防止することができる。
【００６６】
前記簀の子本体３０１は、前記ペット通過方向３１１の長さ寸法３２１を４００ｍｍ以上に設定したため、図６に示したように、平均的な大人の猫３１２が前記簀の子本体３０１上を通過する場合であっても、総ての足３２２，・・・を前記踏み面３０２に確実に着地させることができる。
【００６７】
これにより、寸法が短く前記踏み面３０２を踏まない足３２２が残り得る場合のように、踏み面３０２を踏まない足３２２に残存した付着物が外部に散乱してしまうとった不具合を解消することができる。
【００６８】
さらに、前記簀の子本体３０１は、縦格子４０２，・・・と横格子４０３，・・・とを備えており、図８に示すように、前記縦格子４０２，・・・に前記踏み面３０２側に突出するリブ４３１，・・・が形成されている。
【００６９】
このため、このリブ４３１，・・・が猫３１２の足裏４５１，・・・に食い込むことによって、足裏４５１，・・・の肉球間の隙間を広げることができる。
【００７０】
これによっても、肉球間に挟まったペット用砂７２，・・・等の付着物を落下させることができ、足裏４５１，・・・の肉球の間の付着物の残存量をより少なくすることができる。
【００７１】
加えて、前記縦格子４０２，・・・と前記横格子４０３，・・・とで包囲された開口部４１１，・・・は、その一辺の長さ４１２，４１２が２０ｍｍ以下に設定されている。
【００７２】
このため、前記簀の子本体３０１上を歩くペットが子猫であっても、その足３２２，３２２の前記開口部４１１，・・・への嵌り込みを防止することができる。
【００７３】
（第二の実施の形態）
【００７４】
以下、本発明の第二の実施の形態を図に従って説明する。
【００７５】
図９は、本実施の形態にかかるペット用トイレ１００１を示す図であり、該ペット用トイレ１００１は、図１０に示すように、本願発明の簀の子１００２を備えている。このペット用トイレ１００１は、室内で飼育されるペット、特に猫の排泄物を処理する際に使用される。
【００７６】
このペット用トイレ１００１は、合成樹脂で形成されており、底部を形成する便床トレイ１０１１と、該便床トレイ１０１１の上部を覆う上方膨出形状のフード１０１２とによって構成されている。前記便床トレイ１０１１及び前記フード１０１２は、共に矩形容器状に形成されている。
【００７７】
このフード１０１２は、図９から図１１に示すように、奥側を構成するフード本体１０２１と、手前側を構成する前蓋部１０２２とによって構成されており、前記フード本体１０２１及び前記前蓋部１０２２は、半透明の合成樹脂で形成されている。
【００７８】
ここで、本実施の形態では、前記フード本体１０２１及び前記前蓋部１０２２を半透明の樹脂で形成する場合に付いて説明するが、透明な樹脂で形成しても良い。
【００７９】
前記前蓋部１０２２は、図９に示したように、その上縁に設定された支持部１０３１，１０３１を介して前記フード本体１０２１の天面１０３２に回動自在に支持されており、この支持部１０３１，１０３１を中心に回動できるように構成されている。これにより、前記前蓋部１０２２のみを上方へ回動し、ペット用トイレ１００１前部を開口できるように構成されている。
【００８０】
なお、前記前蓋部１０２２の前面下部に、第一の実施の形態のように、ロック手段としての前部バックル４１を設けることによって、当該前蓋部１０２２を閉鎖した状態で前記前部バックル４１を前記便床トレイ１１の上縁に係脱可能に係合したロック状態を形成できるように構成しても良く、このロック状態では、前記前蓋部２２の不用意な開放を防止できる。
【００８１】
前記フード本体２１の両側面下部にも、図９及び図１１並びに図１２に示すように、側部バックル１０５１，１０５１が設けられており、これらの側部バックル１０５１，１０５１を前記便床トレイ１０１１の上縁に係脱可能に係合したロック状態を形成できるように構成されている。
【００８２】
前記前蓋部１０２２の前面１０６１には、図９及び図１０に示したように、ペットが出入りする為の出入口１０６２が開設されており、該出入口１０６２は、正面左寄りに設定されている。この出入口１０６２には、図９に示したように、開閉扉１０６３が設けられており、該開閉扉１０６３は、前記出入口１０６２の上縁に揺動自在に支持されている。
【００８３】
前記便床トレイ１０１１は、図１２に示すように、上方へ向けて開口した容器状に形成されており、図中右側には、砂収容部１０７１が形成されている。該砂収容部１０７１には、水分を吸収して固化する粒状体としてのペット用砂１０７２，・・・が収容されており、このペット用砂１０７２，・・・によってペットの排泄物を固めて固形化できるように構成されている。
【００８４】
前記砂収容部１０７１の図中左側には、通路部１０８１が形成されており、該通路部１０８１の前端は、図１２及び図１３にも示すように、前記前蓋部１０２２に設けられた出入口１０６２に連通するように構成されている。この通路部１０８１と前記砂収容部１０７１との間には、仕切板１０８２が設けられており、該仕切板１０８２は、着色された非透明の樹脂で形成され、前記砂収容部１０７１から前記通路部１０８１側が見えないように構成されている。
【００８５】
なお、この仕切板１０８２は、非透明であったり、非半透明であっても良く、前記砂収容部１０７１から前記通路部１０８１側の視界を遮るものであれば良い。
【００８６】
この仕切板１０８２の長さ寸法は、図１３にも示すように、前記便床トレイ１０１１の長さより短く設定されており、その前端が前記便床トレイ１０１１の前壁面１０９１に密着するように設けられている。これにより、前記仕切板１０８２の後縁と前記便床トレイ１０１１の後壁面１０９２との間には、前記通路部１０８１と前記砂収容部１０７１との行き来する為の連通口１０９３が設けられている。
【００８７】
前記便床トレイ１０１１の前記通路部１０８１には、図１２及び図１３に示したように、その中央部に上方へ膨出形成された段差部１１０１が形成されており、該段差部１１０１の両端には、前記砂収容部１０７１の底面に連続した凹部空間が形成され、前記砂収容部１０７１に連通した砂回収部１１０２，１１０２が設けられている。
【００８８】
前記段差部１１０１の上面には、十字状に突出された一対の位置決め部１０９５，１０９５が突設されており、前記簀の子１００２を位置決めできるように構成されている。
【００８９】
前記段差部１１０１上には、図１３に示したように、前記簀の子１００２が設けられており、該簀の子１００２によって前記砂収容部１０７１から前記出入口１０６２へ向かうペットを迂回させる迂回通路１１１１が、前記砂収容部１０７１より一段高い位置に設けられている。これにより、前記砂収容部１０７１と前記出入口１０６２との間には、ペットを迂回させる前記迂回通路１１１１が設けられている。
【００９０】
そして、前記砂収容部１０７１から前記迂回通路１１１１への進入方向１１１５と該迂回通路１１１１を移動するペットの移動方向１１１６とは、交差方向に設定されている。
【００９１】
前記前蓋部１０２２に設けられた前記出入口１０６２の幅寸法１１２１は、１２０ｍｍに設定されており、平均よりやや大きめで体重が７ｋｇの猫が出入りできる寸法に設定されている。また、前記連通口１０９３での幅寸法１１２２は、１７０ｍｍに設定されており、平均よりやや大きめで体重が７ｋｇの猫が曲がれる寸法に設定されている。さらに、前記砂収容部１０７１の幅寸法１１２３は、２７０ｍｍに設定されており、平均よりやや大きめで体重が７ｋｇの猫が当該砂収容部１０７１で回転しＵターンできる寸法に設定されている。
【００９２】
前記簀の子１００２の簀の子本体１３０１は、図１４から図１７に示すように、長方形状に形成されており、その上面は、通過時にペットが足で踏む踏み面１３０２を構成している。これにより、この踏み面１３０２をペットが踏んで通過する際に、当該ペットの足に付着したペット用砂１０７２，・・・等の付着物を落とせるように構成されている。
【００９３】
この簀の子本体１３０１は（図１３参照）、前記通路部１０８１にセットされた状態で、ペットが通過するペット通過方向１３１１に延設されるように構成されており、その長さ方向がペット通過方向１３１１に設定されている。
【００９４】
この簀の子本体１３０１は、前記ペット通過方向１３１１の長さ寸法１３２１が４００ｍｍ以上、具体的には、４４０ｍｍに設定されており、第一の実施の形態の図６に示したように、平均的な大人の猫３１２が当該簀の子本体１３０１上を通過する場合であっても、総ての足３２２，・・・が前記踏み面１３０２に着地するように構成されている。
【００９５】
すなわち、前記砂収容部１０７１にて排泄したペットがペット用トイレ１００１から出る際には、図１３に示したように、前記連通口１０９３を通って一段高い前記簀の子１００２上に上ると同時に左側へ回る。これにより、走り出そうとするペットの加速を抑える減速手段が構成されており、前記簀の子１００２上をゆっくり歩かせることができる。
【００９６】
また、前記簀の子１００２が出入口１０６２近傍に横設された従来と比較して、当該簀の子１００２上を、より長い時間を掛けて歩かせるとともに、その歩数の増大を図ることができる。
【００９７】
これにより、簀の子１００２への接地機会をより多くし、付着したペット用砂１０７２，・・・の落下をさらに促進できる。
【００９８】
前記簀の子本体１３０１は、図１４から図１７に示したように、合成樹脂で形成されており、金属や木材で形成することもできる。
【００９９】
この簀の子本体１３０１は、長方形状に形成されるとともに、前記便床トレイ１０１１の角部に配置されるトレイ角部１４００が前記便床トレイ１０１１の内側面に沿った湾曲状に形成されており、図１３に示したように、前記便床トレイ１０１１にセットした状態で、前記トレイ角部１４００が前記便床トレイの角部に適合するように形成されている。
【０１００】
前記簀の子本体１３０１は、図１４から図１７に示したように、略長方形状の枠部１４０１と、該枠部１４０１内に配置され当該簀の子本体１３０１の長さ方向に延在する複数の縦格子１４０２，・・・と、前記枠部１４０１内に配置され各縦格子１４０２，・・・の交差方向に延在する複数の横格子１４０３，・・・とで構成されており、前記枠部１４０１と前記縦格子１４０２，・・・と前記横格子１４０３，・・・とは一体形成されている。
【０１０１】
これにより、前記簀の子本体１３０１には、前記縦格子１４０２，・・・と前記横格子１４０３，・・・とで包囲された正方形状の開口部１４１１，・・・が設けられており、各開口部１４１１，・・・は、上下に貫通している。各開口部１４１１，・・・の一辺の長さ１４１２，１４１２は、２０ｍｍに設定されており、前記段差部１１０１上面の前記位置決め部１０９５，１０９５を挿入した状態で係合できるように構成されている。
【０１０２】
また、前記各開口部１４１１，・・・の一辺の長さ１４１２，１４１２は、２０ｍｍ以下に設定されているため、当該簀の子本体１３０１上を子猫が歩いた場合であっても、その足が前記開口部１４１１，・・・に落ちないように構成されている。
【０１０３】
ここで、本実施の形態では、前記各縦格子１４０２，・・・と前記横格子１４０３，・・・とが直交する場合に付いて説明するが、これに限定されるものではなく、斜めに交差させても良い。
【０１０４】
前記枠部１４０１の両短辺１４２１，１４２１及び前記各横格子１４０３，・・・は、前記踏み面１３０２を構成する上縁が上方へ突出した円弧状に形成されており、前記踏み面１３０２は、全体的に中央が突出した円柱面状に形成されている。
【０１０５】
これにより、第一の実施の形態の図７に示したように、ペットである猫３１２が踏んで通過する簀の子１００２の踏み面１３０２は、非平面状、具体的には、中央部が上方へ突出した曲面状に形成されており、歩き難い形状に形成されている。
【０１０６】
なお、本実施の形態では、前記踏み面１３０２を曲面で構成した場合に付いて説明するが、三角形状や多角形状であっても良い。
【０１０７】
また、簀の子本体１３０１自体を円柱状に形成して良い。
【０１０８】
さらには、前記枠部１４０１内にネットを架橋したり、金網を設けても良い。
【０１０９】
そして、前記踏み面１３０２を構成する前記縦格子１４０２，・・・の上縁には、図１４から図１７に示したように、前記踏み面１３０２側である上方へ突出するリブ１４３１，・・・が間隔をおいて形成されており、当該踏み面１３０２を歩くペットの足裏に、前記各リブ１４３１，・・・が食い込むことによって足裏の肉球間の隙間を広げられるように構成されている。
【０１１０】
このため、第一の実施の形態の図８に示したように、このリブ１４３１，・・・が猫３１２の足裏４５１，・・・に食い込むことによって、足裏４５１，・・・の肉球間の隙間を広げることができる。
【０１１１】
これによっても、肉球間に挟まったペット用砂１０７２，・・・等の付着物を落下させることができ、足裏４５１，・・・の肉球の間の付着物の残存量をより少なくすることができる。
【０１１２】
そして、前記簀の子本体は、図１４から図１７に示したように、湾曲した前記トレイ角部１４００を不具備な短辺１４２１側の中央部に、楕円開口部１５０１が開設されているとともに、前記トレイ角部１４００を不具備な長辺１５０２側の縁部に、円弧状の切欠部１５０３，１５０３が二箇所に形成されている。
【０１１３】
これにより、前記楕円開口部１５０１や前記切欠部１５０３，１５０３に指を引っ掛けることによって、当該簀の子２００１の取り外しを容易に行えるように構成されている。
【０１１４】
以上の構成にかかる本実施の形態において、ペットである猫３１２が踏んで通過する簀の子１００２の踏み面１３０２は、非平面状、具体的には、第一の実施の形態の図７に示したように、中央部が上方へ突出した曲面状に形成されており、歩き難い形状に形成されている。
【０１１５】
このため、この踏み面１３０２上を歩く猫３１２は、足３２２，３２２に力が加わり、踏ん張って歩くこととなる。これにより、足裏４５１，４５１面が変形することによって肉球間の隙間を開き、肉球間に挟まったペット用砂１０７２，・・・等などの付着物を積極的に落下させることができる。
【０１１６】
したがって、踏み面１３０２が平坦面で構成された従来と比較して、足裏の肉球の間の付着物の残存量を少なくすることができ、ペット用トイレ１００１外部への付着物の散乱を防止することができる。
【０１１７】
前記簀の子本体１３０１は、前記ペット通過方向１３１１の長さ寸法１３２１を４００ｍｍ以上に設定したため、第一の実施の形態の図６に示したように、平均的な大人の猫３１２が前記簀の子本体１３０１上を通過する場合であっても、総ての足３２２，・・・を前記踏み面１３０２に確実に着地させることができる。
【０１１８】
これにより、寸法が短く前記踏み面１３０２を踏まない足３２２が残り得る場合のように、踏み面１３０２を踏まない足３２２に残存した付着物が外部に散乱してしまうとった不具合を解消することができる。
【０１１９】
さらに、前記簀の子本体１３０１は、縦格子１４０２，・・・と横格子１４０３，・・・とを備えており、第一の実施の形態の図８に示したように、前記縦格子１４０２，・・・に前記踏み面１３０２側に突出するリブ１４３１，・・・が形成されている。
【０１２０】
このため、このリブ１４３１，・・・が猫３１２の足裏４５１，・・・に食い込むことによって、足裏４５１，・・・の肉球間の隙間を広げることができる。
【０１２１】
これによっても、肉球間に挟まったペット用砂１０７２，・・・等の付着物を落下させることができ、足裏４５１，・・・の肉球の間の付着物の残存量をより少なくすることができる。
【０１２２】
加えて、前記縦格子１４０２，・・・と前記横格子１４０３，・・・とで包囲された開口部１４１１，・・・は、その一辺の長さ１４１２，１４１２が２０ｍｍ以下に設定されている。
【０１２３】
このため、前記簀の子本体１３０１上を歩くペットが子猫であっても、その足３２２，３２２の前記開口部１４１１，・・・への嵌り込みを防止することができる。
【０１２４】
なお、前記各実施の形態の簀の子２，１００２としては、蜂の巣状に形成された段ボールによって構成しても良い。
【０１２５】
また、この簀の子２，１００２に設けられた穴形状は、六角形に限定されるものでは無い。例えば、四角形等であっても良い。
【図面の簡単な説明】
【０１２６】
【図１】本発明の第一の実施の形態を示す斜視図である。
【図２】同実施の形態の内部を示す斜視図である。
【図３】同実施の形態の内部を示す平面図ある。
【図４】同実施の形態の簀の子を示す斜視図である。
【図５】同実施の形態の簀の子を示す図である。
【図６】同実施の形態の簀の子の利用形態を示す側面図である。
【図７】同実施の形態の簀の子の利用形態を示す正面図である。
【図８】同実施の形態の簀の子の利用形態を示す要部の拡大図である。
【図９】本発明の第二の実施の形態を示す斜視図である。
【図１０】同実施の形態を示す分解斜視図である。
【図１１】同実施の形態の側面図である。
【図１２】図９のＢ−Ｂ線に沿った断面図である。
【図１３】同実施の形態の内部の状態を示す説明図である。
【図１４】同実施の形態の簀の子を示す斜視図である。
【図１５】同実施の形態の簀の子を示す平面図である。
【図１６】同実施の形態の簀の子を示す正面図である。
【図１７】同実施の形態の簀の子を示す背面図である。
【符号の説明】
【０１２７】
１    ペット用トイレ
２    簀の子
７２    ペット用砂
３０１    簀の子本体
３０２    踏み面
３１１    ペット通過方向
３１２    猫
３２１    長さ寸法
３２２    足
４０２    縦格子
４０３    横格子
４１１    開口部
４３１    リブ
１００１    ペット用トイレ
１００２    簀の子
１０７２    ペット用砂
１３０１    簀の子本体
１３０２    踏み面
１３１１    ペット通過方向
１３２１    長さ寸法
１４０２    縦格子
１４０３    横格子
１４１１    開口部
１４３１    リブ
【図１】
0005133710.tif 000002
【図２】
0005133710.tif 000003
【図３】
0005133710.tif 000004
【図４】
0005133710.tif 000005
【図５】
0005133710.tif 000006
【図６】
0005133710.tif 000007
【図７】
0005133710.tif 000008
【図８】
0005133710.tif 000009
【図９】
0005133710.tif 000010
【図１０】
0005133710.tif 000011
【図１１】
0005133710.tif 000012
【図１２】
0005133710.tif 000013
【図１３】
0005133710.tif 000014
【図１４】
0005133710.tif 000015
【図１５】
0005133710.tif 000016
【図１６】
0005133710.tif 000017
【図１７】
0005133710.tif 000018